(57)【特許請求の範囲】
【請求項１】
記録媒体を外周面に吸着させた状態で回転しながら搬送を行なう円筒状の搬送部材と、
前記搬送部材によって搬送される前記記録媒体に液体を吐出する液体吐出ヘッドと、
前記液体吐出ヘッドの液体吐出面の周辺部に配置され、前記記録媒体の浮き上がりを規制する規制部材を含む吐出面保護手段と、
前記吐出面保護手段と前記液体吐出ヘッドの液体吐出面の相対的な位置関係を変更する移動手段と、
主電源からの電力供給が遮断されたときに前記移動手段に電力供給を行うバックアップ電源手段と、を備え、
前記移動手段は、前記主電源からの電力供給が遮断されることによって前記搬送部材による前記記録媒体に対する吸着が解除されたとき、前記バックアップ電源手段から供給される電力によって前記液体吐出ヘッドの液体吐出面と前記搬送部材の外周面との間又はその隣接領域に前記吐出面保護手段を移動させること、
を特徴とする描画装置。
【請求項２】
前記規制部材は、前記記録媒体の搬送方向と垂直な方向について前記液体吐出ヘッドの全幅に亘って配置されていること、
を特徴とする請求項１の描画装置。
【請求項３】
前記規制部材は、前記液体吐出ヘッドの液体吐出面の周辺部において前記記録媒体の搬送方向について前記搬送部材の外周面に沿う形で形成された２本の第１パイプ部材と、前記２本の第１パイプ部材の間を渡すように形成された第２パイプ部材と、を有すること、
を特徴とする請求項１又は２の描画装置。
【請求項４】
前記規制部材は、前記液体吐出ヘッドの液体吐出面と相似形状であって前記液体吐出ヘッドの液体吐出面よりも大きい挿通穴が形成された網目状の部材であること、
を特徴とする請求項１又は２の描画装置。
【請求項５】
前記液体吐出ヘッドは前記記録媒体の搬送方向と垂直な方向を長手方向とする前記液体吐出面に複数の液体吐出口が配列されたラインヘッドであって、
前記規制部材は、前記長手方向に亘って前記ラインヘッドの側面に形成されたプレート部材であること、
を特徴とする請求項１又は２の描画装置。
【請求項６】
前記規制部材は、前記液体吐出ヘッドに対し前記記録媒体の搬送方向のいずれか一方側の位置に形成されていること、
を特徴とする請求項１乃至５のいずれか１つの描画装置。
【請求項７】
前記記録媒体の搬送方向のいずれか一方側の位置とは、前記記録媒体の搬送方向の後側の位置であること、
を特徴とする請求項６の描画装置。
【請求項８】
前記規制部材は、前記液体吐出ヘッドに対し前記記録媒体の搬送方向の両側の位置に形成されていること、
を特徴とする請求項１乃至５のいずれか１つの描画装置。
【請求項９】
前記液体吐出ヘッドを複数備え、
前記規制部材は、前記記録媒体の搬送方向の最後方に配置される最後方液体吐出ヘッドに対し前記記録媒体の搬送方向の後側の位置に形成されていること、
を特徴とする請求項１乃至５のいずれか１つの描画装置。
【請求項１０】
記録媒体に処理液を付与する処理液付与部と、
前記処理液付与部において前記処理液が付与された前記記録媒体を外周面に吸着させた状態で回転しながら搬送を行なう円筒状の搬送部材と、前記搬送部材によって搬送される前記記録媒体にインクを吐出するインク吐出ヘッドと、前記インク吐出ヘッドのインク吐出面の周辺部に配置され、前記記録媒体の浮き上がりを規制する規制部材を含む吐出面保護手段と、前記吐出面保護手段と前記インク吐出ヘッドの液体吐出面の相対的な位置関係を変更する移動手段と、主電源からの電力供給が遮断されたときに前記移動手段に電力供給を行うバックアップ電源手段と、を備えた描画部と、
前記描画部において前記記録媒体に吐出された前記インクを乾燥させる乾燥部と、
を有し、
前記移動手段は、前記主電源からの電力供給が遮断されることによって前記搬送部材による前記記録媒体に対する吸着が解除されたとき、前記バックアップ電源手段から供給される電力によって前記インク吐出ヘッドの液体吐出面と前記搬送部材の外周面との間又はその隣接領域に前記吐出面保護手段を移動させることを特徴とするインクジェット記録装置。
【発明の詳細な説明】
【技術分野】
【０００１】
本発明は描画装置およびインクジェット記録装置に係り、特に液体吐出ヘッドの吐出面を保護する描画装置およびインクジェット記録装置に関する。
【背景技術】
【０００２】
特許文献１には、ヘッド走行中に電源がＯＦＦになった時、ヘッドがホームポジションに復帰するまでの間、装置本体への電源供給を維持する技術が開示されている。
【０００３】
また、特許文献２には、描画時にはシャッターを開けてヘッドを描画位置まで前進させて描画を行なう一方で、描画を行なっていない時にはヘッドをカバー内に格納してシャッターを閉める技術が開示されている。
【先行技術文献】
【特許文献】
【０００４】
【特許文献１】特公昭６１−２９２７０号公報
【特許文献２】特開２０００−３２６４７８号公報
【発明の概要】
【発明が解決しようとする課題】
【０００５】
用紙を吸着搬送して液体吐出ヘッドにより記録を行うインクジェット記録装置において、異常（非常停止）時や停電時には、特許文献１の技術では装置本体への電源供給を維持することはできないので、用紙が吸着されなくなって浮き上がり、液体吐出ヘッドの吐出面に当接するおそれがある。
【０００６】
また、特許文献２の技術では、描画時にはシャッターを開けているので、同様に液体吐出ヘッドの吐出面に当接するおそれがある。そして、シャッター機構は、吐出面をメンテナンスするときに邪魔になったり、取り付けスペースが大きくなり装置が大型化したり、コストが増大するという不利益がある。
【０００７】
さらに、異常時や停電時に液体吐出ヘッドを用紙の吸着搬送手段から退避位置へ退避させることも考えられるが、吸着搬送手段から退避位置へ退避するよりも用紙が吸着搬送手段から浮き上がるほうが早いと、用紙が吐出面に当接してしまう。
【０００８】
用紙には予め処理液が塗布されていることが多く、用紙が液体吐出ヘッドの吐出面に当接すると当該処理液とインクが反応して固化し、液体吐出ヘッドに致命的な障害を与えることになる。
【０００９】
本発明はこのような事情に鑑みてなされたもので、異常時や停電時に液体吐出ヘッドの吐出面を保護することができる描画装置およびインクジェット記録装置を提供すること、を目的とする。
【課題を解決するための手段】
【００１０】
前記目的を達成するために本発明の描画装置は、記録媒体を外周面に吸着させた状態で回転しながら搬送を行なう円筒状の搬送部材と、前記搬送部材によって搬送される前記記録媒体に液体を吐出する液体吐出ヘッドと、前記液体吐出ヘッドの液体吐出面の周辺部に配置され、前記記録媒体の浮き上がりを規制する規制部材を含む吐出面保護手段と、前記吐出面保護手段と前記液体吐出ヘッドの液体吐出面の相対的な位置関係を変更する移動手段と、主電源からの電力供給が遮断されたときに前記移動手段に電力供給を行うバックアップ電源手段と、を備え、前記移動手段は、前記主電源からの電力供給が遮断されることによって前記搬送部材による前記記録媒体に対する吸着が解除されたとき、前記バックアップ電源手段から供給される電力によって前記液体吐出ヘッドの液体吐出面と前記搬送部材の外周面との間又はその隣接領域に前記吐出面保護手段を移動させること、を特徴とする。
【００１１】
本発明によれば、移動手段は搬送部材による記録媒体に対する吸着が解除されたとき液体吐出ヘッドの液体吐出面と搬送部材の外周面との間又はその隣接領域に吐出面保護手段を移動させるので、液体吐出ヘッドの液体吐出面と搬送部材の外周面との間又はその隣接領域で確実に記録媒体の浮き上がりを規制することができ、より確実に異常時や停電時に液体吐出ヘッドの吐出面を保護することができる。
【００１６】
本発明の一態様として、前記規制部材は、前記記録媒体の搬送方向と垂直な方向について前記液体吐出ヘッドの全幅に亘って配置されていること、を特徴とする。
【００１７】
かかる態様によれば、規制部材は記録媒体の搬送方向と垂直な方向について液体吐出ヘッドの全幅に亘って配置されているので、記録媒体の全幅で浮き上がりを規制することができる。
【００１８】
本発明の一態様として、前記規制部材は、前記液体吐出ヘッドの液体吐出面の周辺部において前記記録媒体の搬送方向について前記搬送部材の外周面に沿う形で形成された２本の第１パイプ部材と、前記２本の第１パイプ部材の間を渡すように形成された第２パイプ部材と、を有すること、を特徴とする。
【００１９】
かかる態様によれば、液体吐出ヘッド間の狭い隙間においても規制部材を配置することができる。
【００２０】
本発明の一態様として、前記規制部材は、前記液体吐出ヘッドの液体吐出面と相似形状であって前記液体吐出ヘッドの液体吐出面よりも大きい挿通穴が形成された網目状の部材であること、を特徴とする。
【００２１】
かかる態様によれば、液体吐出ヘッドが搬送部材に対向する方向について、液体吐出ヘッドを規制部材に対し相対的に移動させて搬送部材から退避させることができる。
【００２２】
本発明の一態様として、前記液体吐出ヘッドは前記記録媒体の搬送方向と垂直な方向を長手方向とする前記液体吐出面に複数の液体吐出口が配列されたラインヘッドであって、前記規制部材は、前記長手方向に亘って前記ラインヘッドの側面に形成されたプレート部材であること、を特徴とする。
【００２３】
かかる態様によれば、ラインヘッドの長手方向について記録媒体の浮き上がりを規制することができる。
【００２４】
本発明の一態様として、前記規制部材は、前記液体吐出ヘッドに対し前記記録媒体の搬送方向のいずれか一方側の位置に形成されていること、を特徴とする。
【００２５】
かかる態様によれば、少数の規制部材でより確実に吐出面を保護することができ、取付スペースの最小化やコストの軽減が図れる。
【００２６】
本発明の一態様として、前記記録媒体の搬送方向のいずれか一方側の位置とは、前記記録媒体の搬送方向の後側の位置であること、を特徴とする。
【００２７】
かかる態様によれば、異常時や停電時に記録媒体の搬送方向の後端側が浮き上がっても、確実に液体吐出ヘッドの吐出面を保護することができる。
【００２８】
本発明の一態様として、前記規制部材は、前記液体吐出ヘッドに対し前記記録媒体の搬送方向の両側の位置に形成されていること、を特徴とする。
【００２９】
かかる態様によれば、液体吐出ヘッドに対し記録媒体の搬送方向の両側の位置から記録媒体の浮き上がりを規制するので、異常時や停電時に記録媒体の搬送方向の前端側あるいは全体が浮き上がっても、確実に液体吐出ヘッドの吐出面を保護することができる。
【００３０】
本発明の一態様として、前記液体吐出ヘッドを複数備え、前記規制部材は、前記記録媒体の搬送方向の最後方に配置される最後方液体吐出ヘッドに対し前記記録媒体の搬送方向の後側の位置に形成されていること、を特徴とする。
【００３１】
かかる態様によれば、最小限の数の規制部材で吐出面を保護することができ、取付スペースの最小化やコストの軽減が図れる。
【００３２】
前記目的を達成するために本発明のインクジェット記録装置は、記録媒体に処理液を付与する処理液付与部と、前記処理液付与部において前記処理液が付与された前記記録媒体を外周面に吸着させた状態で回転しながら搬送を行なう円筒状の搬送部材と、前記搬送部材によって搬送される前記記録媒体にインクを吐出するインク吐出ヘッドと、前記インク吐出ヘッドのインク吐出面の周辺部に配置され、前記記録媒体の浮き上がりを規制する規制部材を含む吐出面保護手段と、前記吐出面保護手段と前記インク吐出ヘッドの液体吐出面の相対的な位置関係を変更する移動手段と、主電源からの電力供給が遮断されたときに前記移動手段に電力供給を行うバックアップ電源手段と、を備えた描画部と、前記描画部において前記記録媒体に吐出された前記インクを乾燥させる乾燥部と、を有し、前記移動手段は、前記主電源からの電力供給が遮断されることによって前記搬送部材による前記記録媒体に対する吸着が解除されたとき、前記バックアップ電源手段から供給される電力によって前記インク吐出ヘッドの液体吐出面と前記搬送部材の外周面との間又はその隣接領域に前記吐出面保護手段を移動させることを特徴とする。
【発明の効果】
【００３３】
本発明によれば、異常時や停電時に液体吐出ヘッドの吐出面を保護することができる。
【図面の簡単な説明】
【００３４】
【図１】本発明の描画装置が描画部として適用されたインクジェット記録装置において、その描画部周辺の概略構成を示す側面図である。
【図２】描画ドラムの詳細図である。
【図３】本発明に係る描画装置が描画部として適用されたインクジェット記録装置における制御部の構成例を示すブロック図である。
【図４】描画ドラムとラインヘッドと第１実施形態の保護手段とを示した図であり、描画部における描画ドラムの搬送面周辺の概略正面図である。
【図５】パイプタイプのパイプ保護ガイドの外観を示す斜視図である。
【図６】ネットタイプのネット保護ガイドの外観を示す斜視図である。
【図７】パイプ保護ガイドやネット保護ガイドの変形例を示す図である。
【図８】図７における作用を示す図である。
【図９】パイプ保護ガイドやネット保護ガイドの変形例を示す図である。
【図１０】図９における作用を示す図である。
【図１１】描画ドラムとラインヘッドと第２実施形態の保護手段とを示した図であり、描画部における描画ドラムの搬送面周辺の概略正面図である。
【図１２】保護プレートの変形例とその作用を示す図である。
【図１３】保護プレートの変形例とその作用を示す図である。
【発明を実施するための形態】
【００３５】
以下、添付図面に従って本発明に係る描画装置の実施の形態について説明する。
【００３６】
［インクジェット記録装置（主に描画部）の構成］
図１は、本発明の描画装置が描画部として適用されたインクジェット記録装置において、その描画部周辺の概略構成を示す側面図である。図２は、描画ドラムの詳細図である。
【００３７】
図１に示すように、本実施の形態のインクジェット記録装置では、描画部１０において、用紙（記録媒体）１２が描画ドラム１４の外周面に吸着保持されて回転搬送される。
【００３８】
そして、描画ドラム１４によって回転搬送される用紙１２に対して、ノズル面（吐出面）を対向させて描画ドラム１４の周囲に配置された４本のラインヘッド１６Ｃ，１６Ｍ，１６Ｙ，１６ＫからＣ（シアン），Ｍ（マゼンタ），Ｙ（イエロ），Ｋ（クロ）の各色のインクの液滴を吐出させて、用紙１２の記録面にカラー画像を描画する。
【００３９】
ラインヘッド１６Ｃ，１６Ｍ，１６Ｙ，１６Ｋは、長手方向についてノズル面に複数のノズルが配列された液体吐出ヘッドである。
【００４０】
図２に示すように、用紙１２を回転搬送する描画ドラム１４は、円筒状に形成された搬送部材であり、その両端から突出して設けられた回転軸１８をインクジェット記録装置の不図示の本体フレームに設けられた軸受に軸支されて、水平に設置されている。この回転軸１８には、図示しない回転伝達機構を介してモータが連結されており、描画ドラム１４は、このモータに駆動されて回転する。
【００４１】
また、図１や図２に示すように、この描画ドラム１４の外周面には、グリッパ２０が設けられている（本例では、外周面上の２カ所に設置）。用紙１２は、このグリッパ２０に前端部を把持されて、描画ドラム１４の外周面上に保持される。
【００４２】
また、この描画ドラム１４の外周面を構成する吸着シート２１には、図示しない吸着穴が所定の配列パターンで多数形成されており、内部に向けてエアが吸引されている。描画ドラム１４の外周面に巻き掛けられた用紙１２は、この吸着穴から内部に向けてエアが吸引されることにより、描画ドラム１４の外周面上に吸着保持される。
【００４３】
また、ラインヘッド１６Ｃ，１６Ｍ，１６Ｙ，１６Ｋのノズル面２２Ｃ，２２Ｍ，２２Ｙ，２２Ｋの周辺部であって、描画ドラム１４の外周面から所定量のギャップを設けた位置に、後述するようにノズル面２２Ｃ，２２Ｍ，２２Ｙ，２２Ｋと描画ドラム１４の外周面との間又はその隣接領域で用紙１２に当接して用紙１２の浮き上がりを規制する規制部材に相当する保護手段として、後述するパイプ保護ガイド３８、または、ネット保護ガイド４０（図４〜図６参照）が設けられている。なお、保護手段としては他に、後述する保護プレート４４Ｃ，４４Ｍ，４４Ｙ，４４Ｋ（図１１参照）も考えられる。これらの保護手段の詳細については、後述する。
【００４４】
なお、本実施の形態のインクジェット記録装置において、用紙１２は、前段の工程（たとえば、用紙１２の記録面にインク中の色材を凝集させる機能を有する処理液を付与する工程）から搬送ドラム２６を介して、描画ドラム１４に受け渡される。搬送ドラム２６は、描画ドラム１４に並列して配置されており、タイミングを合わせて、描画ドラム１４に用紙１２を受け渡す。
【００４５】
また、描画後の用紙１２は、搬送ドラム２８を介して、後段の工程（たとえば、インクを乾燥させる工程）に受け渡される。搬送ドラム２８は、描画ドラム１４に並列して配置されており、タイミングを合わせて、描画ドラム１４から用紙１２を受け取る。
【００４６】
４本のラインヘッド１６Ｃ，１６Ｍ，１６Ｙ，１６Ｋは、用紙幅に対応して形成されており、描画ドラム１４の回転軸１８を中心とした同心円上に一定の間隔をもって放射状に配置されている。
【００４７】
このように配置された各ラインヘッド１６Ｃ，１６Ｍ，１６Ｙ，１６Ｋは、それぞれそのノズル面２２Ｃ，２２Ｍ，２２Ｙ，２２Ｋが、描画ドラム１４の外周面に対向して配置されるとともに、それぞれそのノズル面２２Ｃ，２２Ｍ，２２Ｙ，２２Ｋが、描画ドラム１４の外周面から所定高さの位置に位置する（描画ドラム１４の外周面とノズル面２２Ｃ，２２Ｍ，２２Ｙ，２２Ｋとの間に同じ量のギャップが形成される。）。また、そのノズル面２２Ｃ，２２Ｍ，２２Ｙ，２２Ｋに形成されたノズル列が、用紙１２の搬送方向と直交して配置される。
【００４８】
そして、このように配置された各ラインヘッド１６Ｃ，１６Ｍ，１６Ｙ，１６Ｋからは、そのノズル面２２Ｃ，２２Ｍ，２２Ｙ，２２Ｋに形成されたノズル列から描画ドラム１４の外周面に向けて垂直にインクの液滴が吐出される。
【００４９】
図３は、本発明に係る描画装置が描画部として適用されたインクジェット記録装置１における制御部の構成例を示すブロック図である。図３に示すように、インクジェット記録装置１は、システムコントローラ３０、描画部制御部３２、処理液付与部制御部３４、乾燥部制御部３６などを備えている。
【００５０】
システムコントローラ３０は、中央演算処理装置（ＣＰＵ）及びその周辺回路等から構成され、所定のプログラムに従ってインクジェット記録装置１の全体を制御する制御装置として機能する。
【００５１】
描画部制御部３２は、システムコントローラ３０からの指令に基づき、各ラインヘッド１６Ｃ，１６Ｍ，１６Ｙ，１６Ｋ、描画ドラム１４、保護手段駆動部３３を制御する。
【００５２】
また、描画部制御部３２内には、描画ドラム１４の吸着の稼動・停止を判断する吸着判断部３１が備わっている。
【００５３】
本発明の場合、例えば、描画部制御部３２により各ラインヘッド１６Ｃ，１６Ｍ，１６Ｙ，１６Ｋを制御して、各ラインヘッド１６Ｃ，１６Ｍ，１６Ｙ，１６Ｋを描画ドラム１４の外周面により近づけるように描画ドラム１４側に移動させたり描画ドラム１４の外周面からより遠ざけるように移動させたりすることもできる。
【００５４】
また、描画部制御部３２は、システムコントローラ３０からの指令に基づき、保護手段とノズル面２２Ｃ，２２Ｍ，２２Ｙ，２２Ｋの相対的な位置関係を変更する移動手段である保護手段駆動部３３を制御して、保護手段を描画ドラム１４の外周面により近づけるように描画ドラム１４側に移動させたり保護手段を描画ドラム１４の外周面からより遠ざけるように移動させたりすることもできる。なお、後述するように保護手段を移動させない実施例も考えられ、その実施例の場合には保護手段駆動部３３は構成されていなくてもよい。
【００５５】
処理液付与部制御部３４は、描画部１０の前段の工程（たとえば、用紙１２の記録面にインク中の色材を凝集させる機能を有する処理液を付与する工程）に使用される処理液付与部の不図示のドラムや処理液付与手段を制御する。
【００５６】
搬送ドラム制御部３５は、描画ドラム１４に用紙１２を受け渡す搬送ドラム２６や描画ドラム１４から用紙１２を受け取る搬送ドラム２８を制御する。
【００５７】
乾燥部制御部３６は、描画部１０の後段の工程（たとえば、インクを乾燥させる工程）に使用される乾燥部の不図示のドラムや乾燥手段を制御する。
【００５８】
以上のように、インクジェット記録装置１の描画部１０周辺が構成される。そして、この描画部１０は以下のように作用する。
【００５９】
描画部１０において、用紙１２は、前段の工程から搬送ドラム２６を介して描画ドラム１４に受け渡され、描画ドラム１４の外周面に吸着保持されながら回転搬送される。そして、その搬送過程で各ラインヘッド１６Ｃ，１６Ｍ，１６Ｙ，１６Ｋの下を通過し、通過時に各ラインヘッド１６Ｃ，１６Ｍ，１６Ｙ，１６Ｋから吐出されたインクの液滴が記録面に打滴されて、記録面にカラー画像が形成される。画像記録が終了した用紙１２は、描画ドラム１４から搬送ドラム２８に受け渡され、後段の工程に搬送される。
【００６０】
なお、この各ラインヘッド１６Ｃ，１６Ｍ，１６Ｙ，１６Ｋは、描画ドラム１４の回転軸１８と平行な方向（水平方向）について、描画位置とメンテナンス位置との間を移動自在に設けられている。
【００６１】
各ラインヘッド１６Ｃ，１６Ｍ，１６Ｙ，１６Ｋは、描画位置に位置させると、描画ドラム１４の周囲に配置され、描画可能な状態になる。
【００６２】
一方、各ラインヘッド１６Ｃ，１６Ｍ，１６Ｙ，１６Ｋは、メンテナンス位置に位置させると、描画ドラム１４から退避する。このメンテナンス位置には、各ラインヘッド１６Ｃ，１６Ｍ，１６Ｙ，１６Ｋを保湿するための不図示の保湿ユニットが設けられている。そのため、長時間使用しない場合は、各ラインヘッド１６Ｃ，１６Ｍ，１６Ｙ，１６Ｋをメンテナンス位置に位置させ、保湿ユニットによって各ラインヘッド１６Ｃ，１６Ｍ，１６Ｙ，１６Ｋを保湿する。これにより、乾燥による不吐出が防止される。
【００６３】
描画位置とメンテナンス位置との間には、各ラインヘッド１６Ｃ，１６Ｍ，１６Ｙ，１６Ｋのノズル面２２Ｃ，２２Ｍ，２２Ｙ，２２Ｋを清掃するための不図示のヘッドクリーニングユニットが設けられている。そのため、各ラインヘッド１６Ｃ，１６Ｍ，１６Ｙ，１６Ｋは、描画位置からメンテナンス位置に移動する際、そのノズル面２２Ｃ，２２Ｍ，２２Ｙ，２２Ｋに払拭ウェブが押圧当接され、これにより、ノズル面２２Ｃ，２２Ｍ，２２Ｙ，２２Ｋが払拭清掃される。
【００６４】
［保護手段の説明］
次に、本発明の保護手段について説明する。
【００６５】
＜第１実施形態＞
図４と図５は、第１実施形態の保護手段を示す図である。図４は、描画ドラムとラインヘッドと保護手段とを示した図であり、描画部における描画ドラムの搬送面周辺の概略正面図である。図５は、パイプタイプのパイプ保護ガイドの外観を示す斜視図である。
【００６６】
保護手段として、図５に示すように、パイプ形状の枠で形成されたパイプタイプのパイプ保護ガイド３８を使用する。パイプ保護ガイド３８は、材質がアルミなどの金属や強度の高い樹脂などである。
【００６７】
パイプ保護ガイド３８は、描画ドラム１４における用紙１２の搬送方向について描画ドラム１４の外周面に沿う形で形成された２本の第１パイプ部材３８α，３８βの間を渡すように、５本の第２パイプ部材３８Ａ，３８Ｂ，３８Ｃ，３８Ｄ，３８Ｅが形成された形状を有している。この５本の第２パイプ部材３８Ａ，３８Ｂ，３８Ｃ，３８Ｄ，３８Ｅは、描画ドラム１４における用紙１２の搬送方向について、各第２パイプ部材間で一定間隔を空けて形成されている。
【００６８】
描画ドラム１４における用紙１２の搬送方向について描画ドラム１４の外周面に沿う形で形成された２本の第１パイプ部材３８α，３８βの間の幅は、描画ドラム１４における用紙１２の搬送方向と垂直な方向（ラインヘッド１６Ｃ，１６Ｍ，１６Ｙ，１６Ｋの長手方向）についてのラインヘッド１６Ｃ，１６Ｍ，１６Ｙ，１６Ｋのノズル面２２Ｃ，２２Ｍ，２２Ｙ，２２Ｋの幅よりも大きく形成されている。
【００６９】
描画ドラム１４における用紙１２の搬送方向について、５本の第２パイプ部材３８Ａ，３８Ｂ，３８Ｃ，３８Ｄ，３８Ｅの各パイプ部材間の一定間隔の幅は、ラインヘッド１６Ｃ，１６Ｍ，１６Ｙ，１６Ｋのノズル面２２Ｃ，２２Ｍ，２２Ｙ，２２Ｋの幅よりも大きく形成されている。これにより、５本の第２パイプ部材３８Ａ，３８Ｂ，３８Ｃ，３８Ｄ，３８Ｅは、描画ドラム１４における用紙１２の搬送方向について、ノズル面２２Ｃ，２２Ｍ，２２Ｙ，２２Ｋの両側の隣接領域の位置、すなわち、ノズル面２２Ｃの後側の位置とノズル面２２Ｃ，２２Ｍ，２２Ｙ，２２Ｋの間の位置とノズル面２２Ｋの前側の位置に設けられることになる。
【００７０】
第１パイプ部材３８α，３８βと第２パイプ部材３８Ａ，３８Ｂ，３８Ｃ，３８Ｄ，３８Ｅの断面は、円形に限らず楕円形や多角形であってもよい。また、第１パイプ部材３８α，３８βと第２パイプ部材３８Ａ，３８Ｂ，３８Ｃ，３８Ｄ，３８Ｅは、中空部材であっても、中実部材であってもよい。
【００７１】
パイプ保護ガイド３８は第１パイプ部材３８α，３８βと第２パイプ部材３８Ａ，３８Ｂ，３８Ｃ，３８Ｄ，３８Ｅから形成されているので、ノズル面２２Ｃ，２２Ｍ，２２Ｙ，２２Ｋの間の狭い隙間においても配置することができる。
【００７２】
パイプ保護ガイド３８は、その両端部を描画ドラム１４の両端に回転軸１８と直交するようにして設けられた一対の本体フレーム（不図示）に取り付けられ、ノズル面２２Ｃ，２２Ｍ，２２Ｙ，２２Ｋと描画ドラム１４の外周面との間で常に固定された位置に配置されている。
【００７３】
また、このインクジェット記録装置にはバックアップ電源（不図示）が搭載されており、停電時には、描画ドラム１４の回転および吸着が停止（解除）される一方で、後述する描画ドラム１４の吸着停止の判断や吸着停止時におけるラインヘッド１６Ｃ，１６Ｍ，１６Ｙ，１６Ｋの移動はバックアップ電源によって動作可能となっている。
【００７４】
このような構成のもと、パイプ保護ガイド３８は以下のように作用する。
【００７５】
まず、描画中に非常停止や停電などが起こり、描画ドラム１４の回転および吸着が停止（解除）したとする。このとき、吸着判断部３１は、システムコントローラ３０からインクジェット記録装置１の電源がＯＦＦになったとの指令を受けることにより、吸着判断部３１は描画ドラム１４の吸着が停止したと判断する。
【００７６】
すると、この吸着判断部３１における判断をもとに描画部制御部３２によりラインヘッド１６Ｃ，１６Ｍ，１６Ｙ，１６Ｋを制御して、ラインヘッド１６Ｃ，１６Ｍ，１６Ｙ，１６Ｋが図４（ａ）に示す描画位置から図４（ｂ）に示す退避位置に退避する。ここで、図４（ｂ）に示すように、パイプ保護ガイド３８は、ノズル面２２Ｃ，２２Ｍ，２２Ｙ，２２Ｋが描画ドラム１４に対向する方向について、ラインヘッド１６Ｃ，１６Ｍ，１６Ｙ，１６Ｋの退避位置におけるノズル面２２Ｃ，２２Ｍ，２２Ｙ，２２Ｋの位置よりも描画ドラム１４に近い位置に設けられている。
【００７７】
そのため、用紙１２が描画ドラム１４の搬送面から浮き上がっても、ノズル面２２Ｃ，２２Ｍ，２２Ｙ，２２Ｋと描画ドラム１４の搬送面（外周面）との間又はその隣接領域で、ノズル面２２Ｃ，２２Ｍ，２２Ｙ，２２Ｋよりも描画ドラム１４に近い位置にて、まずパイプ保護ガイド３８の第２パイプ部材３８Ａ，３８Ｂ，３８Ｃ，３８Ｄ，３８Ｅが用紙１２に当接して押さえる。したがって、このような構造が容易で安価なパイプ保護ガイド３８により、用紙１２がノズル面２２Ｃ，２２Ｍ，２２Ｙ，２２Ｋに当接することはなく、ノズル面２２Ｃ，２２Ｍ，２２Ｙ，２２Ｋが保護される。
【００７８】
図６は、ネットタイプのネット保護ガイド４０の外観を示す斜視図である。
【００７９】
図６に示すように、保護手段として、前記のパイプ保護ガイド３８の代わりに、平板状の網目状のネットタイプのネット保護ガイド４０を使用することが考えられる。ネット保護ガイド４０は、パイプ保護ガイド３８における第１パイプ部材３８α，３８βの代わりに第１ネット部材４０α，４０βを、パイプ保護ガイド３８における第２パイプ部材３８Ａ，３８Ｂ，３８Ｃ，３８Ｄ，３８Ｅの代わりに第２ネット部材４０Ａ，４０Ｂ，４０Ｃ，４０Ｄ，４０Ｅを使用したものであり、第１ネット部材４０α，４０βと第２ネット部材４０Ａ，４０Ｂ，４０Ｃ，４０Ｄ，４０Ｅが一体的に形成されたネット部材である。
【００８０】
そして、第２ネット部材４０Ａ，４０Ｂ，４０Ｃ，４０Ｄ，４０Ｅの間に、ラインヘッド１６Ｃ，１６Ｍ，１６Ｙ，１６Ｋの挿通穴に相当するヘッド用穴４２Ｃ，４２Ｍ，４２Ｙ，４２Ｋが形成されている。
【００８１】
ヘッド用穴４２の面積は、ラインヘッド１６Ｃ，１６Ｍ，１６Ｙ，１６Ｋのノズル面２２Ｃ，２２Ｍ，２２Ｙ，２２Ｋに平行な断面の断面積の大きさよりも大きく形成されている。これにより、ラインヘッド１６Ｃ，１６Ｍ，１６Ｙ，１６Ｋは、ヘッド用穴４２Ｃ，４２Ｍ，４２Ｙ，４２Ｋを通って前記の図４に示すような描画位置と退避位置との間を移動することができる。
【００８２】
ネット保護ガイド４０は、パイプ保護ガイド３８よりも表面積が大きく、用紙１２を押さえる効果が増す。
【００８３】
なお、パイプ保護ガイド３８やネット保護ガイド４０は、前記の保護手段駆動部３３により、ラインヘッド１６Ｃ，１６Ｍ，１６Ｙ，１６Ｋが描画ドラム１４に対向する方向について、描画ドラム１４の外周面（用紙１２の搬送面）に対して上下に移動することができるようにしてもよい。これにより、異常時や停電時にパイプ保護ガイド３８やネット保護ガイド４０を描画ドラム１４の外周面に近づけるように移動させてもよい。
【００８４】
また、前記のように、用紙１２の搬送方向についてのノズル面２２Ｃ，２２Ｍ，２２Ｙ，２２Ｋの両側の隣接領域の位置に、パイプ保護ガイド３８の第２パイプ部材３８Ａ，３８Ｂ，３８Ｃ，３８Ｄ，３８Ｅやネット保護ガイド４０の第２ネット部材４０Ａ，４０Ｂ，４０Ｃ，４０Ｄ，４０Ｅを形成したが、これに限定されない。
【００８５】
例えば、図７と図８に示すように、用紙１２の搬送方向について最後方に配置されたラインヘッド１６Ｃのノズル面２２Ｃの後側の隣接領域の位置のみに、パイプ保護ガイド３８の第２パイプ部材３８Ｅやネット保護ガイド４０の第２ネット部材４０Ｅを形成してもよい。
【００８６】
なお、図７と図８に示す実施例の場合には用紙１２の停止位置の管理も行ない、用紙１２の前端をグリッパ２０で掴んで搬送する場合において異常時や停電時に、用紙１２の後端が用紙１２の搬送方向について第２パイプ部材３８Ｅや第２ネット部材４０Ｅに対向する位置よりも後端側に位置するように制御する。
【００８７】
これによれば、図８に示すように、用紙１２の前端をグリッパ２０で掴んで搬送する場合における異常時や停電時に用紙１２の後端側が浮き上がっても、用紙１２はパイプ保護ガイド３８の第２パイプ部材３８Ｅに当接するので、ノズル面２２Ｃ，２２Ｍ，２２Ｙ，２２Ｋを保護することができる。同様に、ネット保護ガイド４０の第２ネット部材４０Ｅによってもノズル面２２Ｃ，２２Ｍ，２２Ｙ，２２Ｋを保護することができる。また、取付スペースの最小化やコストの軽減が図れる。
【００８８】
また、例えば、図９と図１０に示すように、用紙１２の搬送方向について各ラインヘッド１６Ｃ，１６Ｍ，１６Ｙ，１６Ｋのノズル面２２Ｃ，２２Ｍ，２２Ｙ，２２Ｋの後側の隣接領域の位置のみにパイプ保護ガイド３８の第２パイプ部材３８Ｂ，３８Ｃ，３８Ｄ，３８Ｅやネット保護ガイド４０の第２ネット部材４０Ｂ，４０Ｃ，４０Ｄ，４０Ｅを形成してもよい。
【００８９】
これによれば、図１０に示すように、用紙１２の前端をグリッパ２０で掴んで搬送する場合における異常時や停電時に、用紙１２の後端側が浮き上がっても、用紙１２はパイプ保護ガイド３８の第２パイプ部材３８Ｂ，３８Ｃ，３８Ｄ，３８Ｅやネット保護ガイド４０の第２ネット部材４０Ｂ，４０Ｃ，４０Ｄ，４０Ｅに当接するので、ノズル面２２Ｃ，２２Ｍ，２２Ｙ，２２Ｋを保護することができる。また、取付スペースの最小化やコストの軽減が図れる。
【００９０】
また、パイプ保護ガイド３８やネット保護ガイド４０は、用紙１２の搬送方向と垂直な方向について描画ドラム１４の全幅と略等しい幅、またはそれ以上の幅を有しているが、これに限らず、用紙１２の搬送方向と垂直な方向について描画ドラム１４の両端部から描画ドラム１４の全幅の一部に相当する幅のみ形成してもよい。
【００９１】
また、用紙１２をグリッパ２０で掴まずに描画ドラム１４の吸着のみで搬送する場合には、異常時や停電時に用紙１２の前端側、あるいは全体が描画ドラム１４の搬送面から浮き上がることが考えられる。そのため、この場合には、パイプ保護ガイド３８の第２パイプ部材３８Ａやネット保護ガイド４０の第２ネット部材４０Ａも形成しておくことが望ましい。したがって、前記の図４や図５や図６に示すように、第２パイプ部材３８Ａ，３８Ｂ，３８Ｃ，３８Ｄ，３８Ｅや第２ネット部材４０Ａ，４０Ｂ，４０Ｃ，４０Ｄ，４０Ｅを形成しておくことが望ましい。
【００９２】
＜第２実施形態＞
図１１は保護手段の第２実施形態を示す図である。
【００９３】
図１１に示すように、保護手段の第２実施形態として、保護プレート４４Ｃ，４４Ｍ，４４Ｙ，４４Ｋを使用する。保護プレート４４Ｃ，４４Ｍ，４４Ｙ，４４Ｋは、材質がアルミなどの金属や強度の高い樹脂などである。図１１においては、保護プレート４４Ｃ，４４Ｍ，４４Ｙ，４４Ｋは、用紙１２の搬送方向についてラインヘッド１６Ｃ，１６Ｍ，１６Ｙ，１６Ｋの両側の脇、詳しくは、ラインヘッド１６Ｃ，１６Ｍ，１６Ｙ，１６Ｋの両側面に取り付けられている。
【００９４】
保護プレート４４Ｃ，４４Ｍ，４４Ｙ，４４Ｋは、ラインヘッド１６Ｃ，１６Ｍ，１６Ｙ，１６Ｋの長手方向（用紙１２の搬送方向と垂直な方向）に亘って形成されており、ラインヘッド１６Ｃ，１６Ｍ，１６Ｙ，１６Ｋの長手方向の全幅と略等しい幅を有している。
【００９５】
保護プレート４４Ｃ，４４Ｍ，４４Ｙ，４４Ｋは、ラインヘッド１６Ｃ，１６Ｍ，１６Ｙ，１６Ｋが描画ドラム１４に対向する方向について、ラインヘッド１６Ｃ，１６Ｍ，１６Ｙ，１６Ｋと上下に相対的に移動することができる。
【００９６】
また、このインクジェット記録装置にはバックアップ電源（不図示）が搭載されており、停電時には、描画ドラム１４の回転および吸着が停止（解除）される一方で、後述する描画ドラム１４の吸着停止の判断や吸着停止時におけるラインヘッド１６Ｃ，１６Ｍ，１６Ｙ，１６Ｋ（又は保護プレート４４Ｃ，４４Ｍ，４４Ｙ，４４Ｋ）の移動はバックアップ電源によって動作可能となっている。
【００９７】
このような構成のもと、保護プレート４４Ｃ，４４Ｍ，４４Ｙ，４４Ｋは以下のように作用する。
【００９８】
まず、描画中に非常停止や停電などが起こり、描画ドラム１４の回転および吸着が停止（解除）したとする。このとき、吸着判断部３１は、システムコントローラ３０からインクジェット記録装置１の電源がＯＦＦになったとの指令を受けることにより、吸着判断部３１は描画ドラム１４の吸着が停止したと判断する。
【００９９】
すると、図１１（ａ）に示すようにラインヘッド１６Ｃ，１６Ｍ，１６Ｙ，１６Ｋの吐出面が描画位置にある状態から、図１１（ｂ）に示すようにラインヘッド１６Ｃ，１６Ｍ，１６Ｙ，１６Ｋのノズル面２２Ｃ，２２Ｍ，２２Ｙ，２２Ｋが退避位置に退避する一方、保護プレート４４Ｃ，４４Ｍ，４４Ｙ，４４Ｋが描画ドラム１４の外周面側に移動する。
【０１００】
そのため、用紙１２が描画ドラム１４の搬送面から浮き上がっても、ノズル面２２Ｃ，２２Ｍ，２２Ｙ，２２Ｋと描画ドラム１４の搬送面（外周面）との間又はその隣接領域で、ノズル面２２Ｃ，２２Ｍ，２２Ｙ，２２Ｋよりも描画ドラム１４に近い位置にて、まず保護プレート４４Ｃ，４４Ｍ，４４Ｙ，４４Ｋが用紙１２に当接して押さえる。したがって、このような構造が容易で安価な保護プレート４４Ｃ，４４Ｍ，４４Ｙ，４４Ｋにより、用紙１２がノズル面２２Ｃ，２２Ｍ，２２Ｙ，２２Ｋに当接することはなく、ノズル面２２Ｃ，２２Ｍ，２２Ｙ，２２Ｋが保護される。
【０１０１】
また、保護プレート４４Ｃ，４４Ｍ，４４Ｙ，４４Ｋはラインヘッド１６Ｃ，１６Ｍ，１６Ｙ，１６Ｋの両側面に設けられ、ノズル面２２Ｃ，２２Ｍ，２２Ｙ，２２Ｋは露出している。そのため、ラインヘッド１６Ｃ，１６Ｍ，１６Ｙ，１６Ｋを描画位置からメンテナンス位置に移動する際、保護プレート４４Ｃ，４４Ｍ，４４Ｙ，４４Ｋの影響を受けずに、ノズル面２２Ｃ，２２Ｍ，２２Ｙ，２２Ｋに不図示の払拭ウェブを押圧当接して払拭清掃することができる。
【０１０２】
また、ラインヘッド１６Ｃ，１６Ｍ，１６Ｙ，１６Ｋを描画位置から退避位置まで退避させる一方、保護プレート４４Ｃ，４４Ｍ，４４Ｙ，４４Ｋは静止させておいてもよい。
【０１０３】
また、ラインヘッド１６Ｃ，１６Ｍ，１６Ｙ，１６Ｋを描画位置に静止させた状態のままで、保護プレート４４Ｃ，４４Ｍ，４４Ｙ，４４Ｋを描画ドラム１４の外周面に近づけるように移動させてもよい。
【０１０４】
また、前記のように、用紙１２の搬送方向についてラインヘッド１６Ｃ，１６Ｍ，１６Ｙ，１６Ｋの両側面に、各々保護プレート４４Ｃ，４４Ｍ，４４Ｙ，４４Ｋを形成したが、これに限定されない。
【０１０５】
例えば、図１２（ａ）に示すように、用紙１２の搬送方向について最後方に配置されたラインヘッド１６Ｃにおいて、用紙１２の搬送方向の後方の側面のみに保護プレート４４Ｃを設けてもよい。
【０１０６】
なお、図１２（ａ）に示す実施例の場合には用紙１２の停止位置の管理も行ない、用紙１２の前端をグリッパ２０で掴んで搬送する場合において異常時や停電時に、用紙１２の後端が用紙１２の搬送方向について保護プレート４４Ｃに対向する位置よりも後端側に位置するように制御する。
【０１０７】
これによれば、図１２（ｂ）に示すように、用紙１２の前端をグリッパ２０で掴んで搬送する場合における異常時や停電時に用紙１２の後端側が浮き上がっても、用紙１２は保護プレート４４Ｃに当接するので、ノズル面２２Ｃ，２２Ｍ，２２Ｙ，２２Ｋを保護することができる。また、取付スペースの最小化やコストの軽減が図れる。
【０１０８】
また、例えば、図１３（ａ）に示すように、用紙１２の搬送方向について各ラインヘッド１６Ｃ，１６Ｍ，１６Ｙ，１６Ｋの後方の側面にのみ保護プレート４４Ｃ，４４Ｍ，４４Ｙ，４４Ｋを形成してもよい。
【０１０９】
これによれば、図１３（ｂ）に示すように、用紙１２の前端をグリッパ２０で掴んで搬送する場合における異常時や停電時に、用紙１２の後端側が浮き上がっても、用紙１２は保護プレート４４Ｃ，４４Ｍ，４４Ｙ，４４Ｋに当接するので、ノズル面２２Ｃ，２２Ｍ，２２Ｙ，２２Ｋを保護することができる。また、取付スペースの最小化やコストの軽減が図れる。
【０１１０】
また、保護プレート４４は、用紙１２の搬送方向と垂直な方向について描画ドラム１４の全幅と略等しい幅を有しているが、これに限らず、用紙１２の搬送方向と垂直な方向について描画ドラム１４の両端部から描画ドラム１４の全幅の一部に相当する幅のみ形成してもよい。
【０１１１】
また、用紙１２をグリッパ２０で掴まずに描画ドラム１４の吸着のみで搬送する場合には、異常時や停電時に用紙１２の前端側、あるいは全体が描画ドラム１４の搬送面から浮き上がることが考えられる。そのため、この場合には、用紙１２の搬送方向についてノズル面２２Ｃ，２２Ｍ，２２Ｙ，２２Ｋの前方の側面にも保護プレート４４Ｃ，４４Ｍ，４４Ｙ，４４Ｋを設けておくことが望ましい。したがって、前記の図１１に示すように、用紙１２の搬送方向についてノズル面２２Ｃ，２２Ｍ，２２Ｙ，２２Ｋの両方の側面に保護プレート４４Ｃ，４４Ｍ，４４Ｙ，４４Ｋを設けておくことが望ましい。
【０１１２】
以上、本発明の描画装置およびインクジェット記録装置について詳細に説明したが、本発明は、以上の例には限定されず、本発明の要旨を逸脱しない範囲において、各種の改良や変形を行ってもよいのはもちろんである。
【０１１３】
前記の実施形態では、４つのラインヘッドを使用した形態を挙げたが、本発明はラインヘッドの使用数に限定されずに適用されるものである。
【符号の説明】
【０１１４】
１…インクジェット記録装置、１０…描画部、１２…用紙、１４…描画ドラム、１６Ｃ，１６Ｍ，１６Ｙ，１６Ｋ…ラインヘッド、２２Ｃ，２２Ｍ，２２Ｙ，２２Ｋ…ノズル面、３０…システムコントローラ、３２…描画部制御部、３３…保護手段駆動部、３８…パイプ保護ガイド、４０…ネット保護ガイド、４２…ヘッド用穴、４４…保護プレート
【図１】
0005473121.tif 000002
【図２】
0005473121.tif 000003
【図３】
0005473121.tif 000004
【図４】
0005473121.tif 000005
【図５】
0005473121.tif 000006
【図６】
0005473121.tif 000007
【図７】
0005473121.tif 000008
【図８】
0005473121.tif 000009
【図９】
0005473121.tif 000010
【図１０】
0005473121.tif 000011
【図１１】
0005473121.tif 000012
【図１２】
0005473121.tif 000013
【図１３】
0005473121.tif 000014